(57)【特許請求の範囲】
【請求項１】
内径がほぼ一定の円筒状部と、該円筒状部に基端が連設され先端に向かって内径が徐々に小さくなった筒状のテーパ穴部とを有し、その内部にケーブルが挿通され、このケーブルと屋外用電子機器の信号入出力部との接続部分を覆うように前記信号入出力部に装着される防雨キャップにおいて、
前記テーパ穴部の内周面に、前記ケーブルに弾性的に接触する複数の断面矩形状の突部が形成され、前記複数の突部は、前記テーパ穴部の内周面の先端部付近から、前記円筒状部との連接部分付近まで延び、
前記ケーブルが内部に挿通された状態で、前記ケーブルの外周面と前記テーパ穴部の内周面との間であって前記各突部の間には隙間が形成されることを特徴とする防雨キャップ。
【請求項２】
前記複数の突部は、前記テーパ穴部の内周面に周方向に等角度間隔でもって設けられている請求項１記載の防雨キャップ。
【発明の詳細な説明】
【０００１】
【発明の属する技術分野】
この発明は、屋外用電子機器の信号入出力部とケーブルとの接続部分を覆う防雨キャップに関するものである。
【０００２】
【従来の技術】
一般に、テレビ放送等を受信するためのアンテナは屋外に配置されている。アンテナで受信した放送信号は、同軸ケーブルを介して、屋内に設置された受信機に導かれる。アンテナには、同軸ケーブルが接続される給電部が設けられている。このアンテナの給電部と同軸ケーブルとの接続部分は、防雨キャップにて覆われ、雨水等より保護されている。よって、アンテナの給電部と同軸ケーブルとの接続部分が雨水等にさらされて錆びたり、接触不良を起こしたりするのが防止される。
【０００３】
このような防雨キャップは、アンテナ設置工事の際に、防雨キャップがアンテナの給電部に確実に嵌合していないと、アンテナの給電部と防雨キャップとの間に隙間が生じる。そのような隙間があると、その隙間から雨水等が防雨キャップ内に浸入する。このような防雨キャップ内に浸入した雨水等は、外部に排水されてないと、アンテナの給電部と同軸ケーブルとの接続部に錆が発生したり、接触不良を起こしたりする原因となる。
【０００４】
そこで、内部に浸入した雨水等を外部に排水する防雨キャップとして、円筒状部と、該円筒状部に続く筒状のテーパ部を介して平板状の重合部とからなり、その内部に同軸ケーブルが挿通され該同軸ケーブルとアンテナ給電部との接続部分を覆うように嵌合される柔軟な材質からなるものが提案されている（例えば特開平１０−１２５３８８号公報参照）。この防雨キャップによれば、内部に雨水等が浸入したとしても、浸入した雨水等は、防雨キャップの重合部と同軸ケーブルとの間の隙間を通じて外部に排水されるようになり、キャップ内に雨水等が溜まることがなくなる。
【０００５】
【発明が解決しようとする課題】
しかしながら、前記特開平１０−１２５３８８号公報に記載のものでは、平板状の重合部に同軸ケーブルを挿入する際に、密着状態にある重合部を開くように変形させてから、同軸ケーブルを挿入しなければならない。そのため、同軸ケーブルの挿入作業が面倒である。
【０００６】
また、防雨キャップの重合部において同軸ケーブルを挟み、その状態で同軸ケーブルを保持するようにしているので、同軸ケーブルの保持が不安定であり、同軸ケーブルが振動しやすい。さらに、その同軸ケーブルが振動すれば、その振動がアンテナ側に伝達される。
【０００７】
本発明はかかる点に鑑みてなされたもので、ケーブルの挿入作業が容易で、前記ケーブルを安定性よく保持することができ、しかも内部に雨水等が溜まらない防雨キャップを提供することを目的とする。
【０００８】
【課題を解決するための手段】
本発明は、内径がほぼ一定の円筒状部と、該円筒状部に基端が連設され先端に向かって内径が徐々に小さくなった筒状のテーパ穴部とを有し、その内部にケーブルが挿通され、このケーブルと屋外用電子機器の信号入出力部との接続部分を覆うように前記信号入出力部に装着される防雨キャップを前提とする。
【０００９】
請求項１の発明は、前述した防雨キャップにおいて、前記テーパ穴部の内周面に、前記ケーブルに弾性的に接触する複数の断面矩形状の突部が形成され、前記複数の突部は、前記テーパ穴部の内周面の先端部付近から、前記円筒状部との連接部分付近まで延び、前記ケーブルが内部に挿通された状態で、前記ケーブルの外周面と前記テーパ穴部の内周面との間であって前記各突部の間には隙間が形成されるものである。
【００１０】
請求項１の発明によれば、テーパ穴部の内周面にケーブルに弾性的に接触する複数の突部が設けられ、該複数の突部によって、内部に挿通されるケーブルが周囲から保持される。よって、ケーブルの保持が安定して行われ、不用意に振動しない。
【００１１】
また、内径がほぼ一定の円筒状部と、該円筒状部に基端が連設され先端に向かって内径が徐々に小さくなった筒状のテーパ穴部とを有し、それらの内部にケーブルが挿通されるので、テーパ穴部等を変形させることなく、ケーブルを挿通できる。よって、ケーブルの挿通は容易である。
【００１２】
さらに、ケーブルの外周面には複数の突部の先端部が弾性的に接触するだけであるので、ケーブルの外周面とテーパ穴部の内周面との間であって各突部の間には隙間が形成されることとなる。この場合、テーパ穴部の先端部は、通常、円筒状部との連接部分よりも下方に位置するので、防雨キャップ内に雨水等が浸入したとしても、水の高い所から低いところに流れるという性質により、前記隙間を通じて、自然に外部に排水される。よって、内部に雨水等が浸入したとしても、その浸入した雨水等が内部に残留することがなく、屋外用電子機器の入出力部に錆を発生させたり、接触不良を起こしたりするのが防止される。
【００１４】
さらに、複数の断面矩形状の突部が、前記テーパ穴部の内周面の先端部付近から、前記円筒状部との連接部分付近まで延びているので、例えば防雨キャップのテーパ穴部の先端部を、同軸ケーブルの大、中、小のケーブル内径に対応するように切断して使用するような場合であっても、切断した後において、テーパ穴部の内周面には突部の一部が残り、同軸ケーブルの保持と、内部に浸入した雨水等の排水との機能が損なわれることはない。また、内部に浸入した水が、前記突部によって先端部側に案内され、スムーズに排水される。
【００１５】
請求項２の発明は、請求項１の防雨キャップにおいて、前記複数の突部が、前記テーパ穴部の内周面に周方向に等角度間隔でもって設けられている。
【００１６】
請求項２の発明によれば、複数の突部が、前記テーパ穴部の内周面に周方向に等角度間隔でもって設けられていることから、前記複数の突部によって、挿通されるケーブルが周方向においてバランスよく保持される。
【００１７】
【発明の実施の形態】
以下、本発明の実施の形態を図面に基づいて説明する。
【００１８】
図１は本発明に係る防雨キャップを備える衛星放送用アンテナの構成を示す図、図２は本発明に係る防雨キャップ取り付け状態の説明図である。
【００１９】
図１において、衛星放送用アンテナ１１は、パラボラ反射鏡１２と、パラボラ反射鏡１２の焦点位置に設けられた一次放射器付きコンバータ１３（以下、コンバータ１３と称する）とを備える。パラボラ反射鏡１２は、鉛直方向に延びる支持柱１４に、方向調整部材１５を介してアンテナを所定の方向に調整可能とするように設けられている。なお、前記方向調整部材１５は、仰角調整部材１５ａと、方位角調整部材１５ｂとで構成される。この方向調整部材１５に、コンバータ１３が支持アーム１６を介して支持され、パラボラ反射鏡１２の焦点位置に維持するように支持されている
前記コンバータ１３にて変換された衛星放送中間周波信号は、同軸ケーブル２を介して室内の受信機（図示せず）に導かれるようになっている。このコンバータ１３の下端には、本発明に係る防雨キャップ１が装着され、コンバータ１３の信号出力部（屋外用電子機器の信号入出力部）と同軸ケーブル２との接続部分を覆うようになっている。
【００２０】
同軸ケーブル２は、図３に示すように、先端部にはＦ型コネクタ３が取り付けられ、支持アーム１６に沿って直線状に延びている。一方、コンバータ１３の下端には同軸コネクタ１４が形成されている。そして、Ｆ型コネクタ３が同軸コネクタ１４にねじ込まれることで、同軸ケーブル２がコンバータ１３に電気的に接続されるように構成されている。なお、前記同軸ケーブル２の、防雨キャップ１から導き出された部分は、支持部材１７を介して、支持アーム１６にも支持されている。
【００２１】
また、コンバータ１３の下端付近にはキャップ取り付け部１３ａが形成され、該キャップ取り付け部１３ａに防雨キャップ１が嵌合により装着される。
【００２２】
防雨キャップ１は、図３に示すように、内径がほぼ一定で前記キャップ取り付け部１３ａに嵌合される円筒状部１ａと、該円筒状部１ａに基端が連設され先端に向かって内径が徐々に小さくなった筒状のテーパ穴部１ｂとを有し、塩化ビニ−ル樹脂などの可撓性に優れかつ撥水性を有する合成樹脂材料を用いて、同軸ケーブル２を挿通可能な筒状形状となるように一体的に成形されている。
【００２３】
防雨キャップ１の内部には、信号入出力部であるコンバータ１３に接続される同軸ケーブル２が挿通され、防雨キャップ１が、同軸ケーブル２側のＦ型コネクタ３とコンバータ１３側の同軸コネクタ１４との接続部分を覆うように前記キャップ取り付け部１３ａに装着されている。これにより、防雨キャップ１によって雨水等が防雨キャップ１内に浸入するのが防止され、同軸ケーブル２とコンバータ１３との接続部分が雨水等から保護される。
【００２４】
前記テーパ穴部１ｂのテーパ穴である挿通穴１ｃは、基端部が円筒状部１ａの挿通穴１ｄにほぼ等しい内径を有する一方、先端部が、挿通される同軸ケーブル２にほぼ等しい内径を有する。前記挿通穴１ｃは、基端部から先端部に向けて徐々に内径が徐々に小さくなるように形成されている。
【００２５】
また、前記テーパ穴部１ｂの挿通穴１ｃの内周面には、基端部付近から先端部付近まで延びる複数の断面矩形状の突部１ｅが、周方向において、等角度間隔で形成されている。よって、突部１ｅと突部１ｅとの間には、防雨キャップの軸線方向に延びるガイド溝１ｆが形成されることになる。このように、前記複数の突部１ｅの間に形成されるガイド溝１ｆは、前記テーパ穴部１ｂの内周面の先端部付近から、円筒状部１ａとの連接部分付近まで延びているので、内部に浸入した雨水等を、排水のために先端側にスムーズに案内するガイド溝として機能することなる。
【００２６】
防雨キャップ１との間に形成されるガイド溝１ｆを通じて雨水等が流れ、最終的に排水に至るように、前記突部１ｅは、ある程度の高さ及び配置間隔とする必要があるが、それの断面形状は、矩形状に限定されず、半円形状、三角形状等のその他の形状とすることも可能である。
【００２７】
また、前記突部１ｅの断面形状は、長手方向全体に亘って一様にされ、ガイド溝１ｆが、基端部から先端部に向かって徐々に幅が狭くなるようにして、集水効果を効率よく発揮するようにしているが、ガイド溝の幅が長手方向に亘って一様になるように突部の断面形状を、長手方向に亘って変化させるようにすることも可能である。
【００２８】
さらに、前記突部１ｅは、テーパ穴部１ｂの基端部から先端部に亘って同一高さとし、先端部付近においてのみ突部１ｅがケーブル２の外周面に弾性的に接触するようにしているが、ケーブル保持力を高めるために、前記基端部から先端部に亘ってケーブル２の外周面に弾性的に接触するように高さを変化させるようにしても差し支えない。
【００２９】
前記各突部１ｅは、その上端面が同軸ケーブル２に弾性的に接触しているが、この突部１ｅと同軸ケーブル２の外周面との弾性接触により、同軸ケーブル２が、防雨キャップ１を介してあまり振動しないようにアンテナに支持されることになる。突部１ｅの数は、３個以上で、同軸ケーブル２をバランスよく支持するために、テーパ穴部１ｂの内周面に周方向に等角度間隔でもって設けられている（図４参照）。
【００３０】
ここで、突部１ｅを設ける位置は、テーパ穴部１ｂの挿通穴１ｃの内周面であるので、前記突部１ｅを外側からは見ることができず、外観を損なうことがなく、デザインの面でも優れる。
【００３１】
このような構成にすれば、防雨キャップ１の上端部がコンバータ１３のキャップ取り付け部１３ａに完全に装着されていれば、コンバータ１３の同軸コネクタ１４に同軸ケーブル２の先端部のＦ型コネクタ３がねじ込まれている接続部分が、防雨キャップ１によって覆われることになる。よって、例えば、防雨キャップ１の外表面に雨水等がふりそそぐと、雨水等はその外表面に沿って流れ、テーパ穴部１ｂの先端部から落下するようになる。これによって、防雨キャップ１により雨水等が防雨キャップ１内に浸入することが防止され、同軸コネクタ１４とＦ型コネクタ３との接続部分が雨水等から保護される。
【００３２】
また、防雨キャップ１の上端部がコンバータ１３のキャップ取り付け部１３ａに完全に装着されておらず、防雨キャップ１の上端の間隙から雨水等が防雨キャップ１内に浸入したとしても、浸入した雨水等は、テーパ穴部１ｂの挿通穴１ｄの内周面に形成された突部１ｅ間のガイド溝１ｆに沿ってテーパ穴部１ｂの先端部に向かってスムーズに案内される。このようにガイド溝１ｆによって案内された雨水等がテーパ穴部１ｂの先端部に到達すると、外部に自然に排水される。
【００３３】
特に、前記テーパ穴部１ｂの先端部付近においては、図４に示すように、同一高さの複数の突部１ｅの先端が同軸ケーブル２の外周面に弾性的に接触するので、同軸ケーブル２が防雨キャップ１の中心に位置するように保持される。よって、テーパ穴部１ｂと同軸ケーブル２との間に確実にかつ周方向に亘って一様に隙間が形成され、前記ガイド溝１ｆの下流端は外部に開放された状態にあり、内部に浸入した雨水等は、外部にスムーズに排水される。また、複数の突部１ｅは、前記テーパ穴部１ｂの内周面に周方向に等角度間隔でもって設けられているので、前述した排水機能は、防雨キャップ１の取り付けの向き等に関係なく、安定して発揮される。
【００３４】
このように、防雨キャップ１内に浸入した雨水等が外部に自然に排水されるので、雨水等が内部に残留することがなくなり、前記接続部分等に錆が発生したり、接触不良を起こしたりするのが防止される。
【００３５】
また、前記突部１ｅは、テーパ穴部１ｂの基端部から先端部に亘って形成されているので、例えば防雨キャップ１のテーパ穴部１ｂの先端部を、同軸ケーブル２の大、中、小のケーブル内径に対応するように切断して使用するような場合であっても、切断した後において、テーパ穴部１ｂの内周面には突部１ｅの一部が残り、同軸ケーブル２の保持と、内部に浸入した雨水等の排水との機能が損なわれることはない。
【００３６】
さらに、アンテナ１１の設置工事の際には、通常、同軸ケーブル２に防雨キャップ１を嵌挿し、所定の位置まで防雨キャップ１を移動させることにより、コンバータ１３のキャップ取り付け部１３ａに防雨キャップ１を装着させるようにしているが、防雨キャップ１のテーパ穴部１ｂにおいて挿通穴１ｄの突部１ｅの先端が同軸ケーブル２の外周面に弾性的に接触しているだけであるので、それらの間には大きな摩擦力は発生せず、防雨キャップ１の同軸ケーブル２上の移動は容易である。よって、アンテナの設置工事における防雨キャップ１の取り付けは簡単である。一方、前記接触により一定の保持力（摩擦力）は確保されるので、防雨キャップ１が不用意に移動することもない。
【００３７】
前記実施の形態においては、衛星放送用アンテナのコンバータと同軸ケーブルとの接続部分に用いられる防雨キャップについて説明しているが、本発明はそれに限定されるものではなく、屋外設置の電子機器、例えば、ＵＨＦ，ＶＨＦ帯アンテナの給電部、ブースタ、混合器、分配器、分岐器等の信号出力側若しくは信号入力側と同軸ケーブルとの接続部分に用いられる防雨キャップにも適用することができる。
【００３８】
【発明の効果】
本発明は、以上に説明したような形態で実施され、以下に述べるような効果を奏する。
【００３９】
請求項１の発明は、内径がほぼ一定の円筒状部と、該円筒状部に基端が連設され先端に向かって内径が徐々に小さくなった筒状のテーパ穴部とを有するようにし、該テーパ穴部の内周面にケーブルに弾性的に接触する複数の断面矩形状の突部を設けているので、ケーブルの挿入作業が容易で、ケーブルを安定性よく保持できるのに加えて、ケーブルの外周面とテーパ穴部の内周面との間であって突部の間に隙間を形成することができ、防雨キャップ内に浸入した水を、前記隙間を通じて、自然に外部に排水することが可能となる。よって、防雨キャップ内に浸入した雨水等が、内部に残留するということがないので、屋外用電子機器の入出力部に錆を発生させたり、ケーブルとの接触不良を起こしたりするのを防止することができる。
【００４０】
また、複数の断面矩形状の突部が、テーパ穴部の内周面の先端部付近から、前記円筒状部との連接部分付近まで延びているので、例えば防雨キャップのテーパ穴部の先端部を、同軸ケーブルの大、中、小のケーブル内径に対応するように切断して使用するような場合であっても、切断した後において、テーパ穴部の内周面には突部の一部が残り、同軸ケーブルの保持と、内部に浸入した雨水等の排水との機能が損なわれることはない。また、内部に浸入した水を、前記突部の間に形成される溝によって、排水のために先端部側にスムーズに案内することができる。
【００４１】
請求項２の発明は、複数の突部を、テーパ穴部の内周面に周方向に等角度間隔でもって設けているので、前記複数の突部によって、挿通されるケーブルをバランスよく保持することができる。
【図面の簡単な説明】
【図１】本発明に係る防雨キャップを用いた衛星放送用アンテナの取り付け部分の構造を示す図である。
【図２】本発明に係る防雨キャップの取り付け状態の説明図である。
【図３】本発明に係る防雨キャップの側面図である。
【図４】本発明に係る防雨キャップの取り付けの説明図である。
【符号の説明】
１      防雨キャップ
１ａ    円筒状部
１ｂ    テーパ穴部
１ｃ    挿通穴
１ｄ    挿通穴
１ｅ    突部
１ｆ    ガイド溝
２      同軸ケーブル
３      Ｆ型コネクタ
１１      衛星放送用アンテナ
１２      パラボラ反射鏡
１３      コンバータ
１３ａ    キャップ取り付け部
【図１】
0003957025.tif 000002
【図２】
0003957025.tif 000003
【図３】
0003957025.tif 000004
【図４】
0003957025.tif 000005